(57)【特許請求の範囲】
【請求項１】
電線を筐体の取付孔に挿通させた状態で前記筐体に固定される電線固定部材であって、
電線を挿通させる電線挿通孔が貫通して設けられてなるハウジングと、
前記筐体と前記ハウジングの間をシールする第１シール部材と、
前記ハウジングと前記電線の間をシールする第２シール部材と、
前記電線にかしめられる円筒形の圧着部とこの圧着部に連なる円筒形の保持筒部とを有し、前記圧着部により前記電線を固定した状態で、前記保持筒部により前記ハウジングに抜け止め状態で保持される金属製の抜け止め部材とを備え、
前記電線挿通孔における前記筐体の内部と連通する側には、前記第１シール部材と前記第２シール部材によって止水された止水領域が形成されており、
前記抜け止め部材は、前記止水領域の内部に配設されていることを特徴とする電線固定部材。
【請求項２】
前記ハウジングは、前記第２シール部材を内部に収容する収容部と、前記抜け止め部材が装着される装着部と、前記収容部と前記装着部の間を仕切るとともに前記電線を通す通し孔が貫通して設けられてなる仕切り壁とを備えて構成され、前記収容部の内部空間と前記装着部の内部空間と前記通し孔とによって前記電線挿通孔が構成されていることを特徴とする請求項１に記載の電線固定部材。
【請求項３】
前記抜け止め部材は、前記仕切り壁における前記通し孔の周縁部に当接することによって前記収容部側への移動が規制されていることを特徴とする請求項２に記載の電線固定部材。
【請求項４】
前記装着部には、前記抜け止め部材を中心として前記仕切り壁とは反対側から前記抜け止め部材を抜け止めするフロントリテーナが装着されていることを特徴とする請求項２または請求項３に記載の電線固定部材。
【請求項５】
前記収容部には、前記第２シール部材を中心として前記仕切り壁とは反対側から前記第２シール部材を抜け止めするバックリテーナが装着されていることを特徴とする請求項２ないし請求項４のいずれか一項に記載の電線固定部材。
【請求項６】
前記ハウジングが装着される金属製のシールドシェルを備え、このシールドシェルを前記筐体に固定することで前記ハウジングが取付孔に嵌合した状態に保持されることを特徴とする請求項１ないし請求項５のいずれか一項に記載の電線固定部材。
【発明の詳細な説明】
【技術分野】
【０００１】
本発明は、電線を筐体の取付孔に挿通させた状態で筐体に固定される電線固定部材に関する。
【背景技術】
【０００２】
この種の電線固定部材として、例えば下記特許文献１に記載のものが知られている。この電線固定部材は、筐体の取付孔に装着されるゴム栓と、このゴム栓が固定されるハウジングと、このハウジングの内部に装着される抜け止め部材とを備えて構成されている。ゴム栓によって筐体の内部に止水領域が形成されており、抜け止め部材は、ゴム栓の後方に引き出された電線にかしめて圧着されている。また、電線固定部材は、ハウジングを覆うシールドシェルを備えており、このシールドシェルを筐体に固定することによってハウジングが固定されている。すなわち、電線は、抜け止め部材、ハウジング、およびシールドシェルの３つの部材によって筐体に固定されている。
【先行技術文献】
【特許文献】
【０００３】
【特許文献１】特開２００２−１３４９５３号公報
【発明の概要】
【発明が解決しようとする課題】
【０００４】
しかしながら、上記の構成では、止水領域の外部に抜け止め部材が配設されているため、抜け止め部材を止水することができない。そして、抜け止め部材によってかしめられた電線が強く引っ張られるなどして電線の絶縁被覆が破れた場合には、そこから電線の内部に水が浸入してしまう。
【０００５】
本発明は上記のような事情に基づいて完成されたものであって、電線の内部に水が浸入することを規制することを目的とする。
【課題を解決するための手段】
【０００６】
本発明は、電線を筐体の取付孔に挿通させた状態で筐体に固定される電線固定部材であって、電線を挿通させる電線挿通孔が貫通して設けられてなるハウジングと、筐体とハウジングの間をシールする第１シール部材と、ハウジングと電線の間をシールする第２シール部材と、電線にかしめられる円筒形の圧着部とこの圧着部に連なる円筒形の保持筒部とを有し、圧着部により電線を固定した状態で、保持筒部によりハウジングに抜け止め状態で保持される金属製の抜け止め部材とを備え、電線挿通孔における筐体の内部と連通する側には、第１シール部材と第２シール部材によって止水された止水領域が形成されており、抜け止め部材は、止水領域の内部に配設されている構成としたところに特徴を有する。
【０００７】
このような構成によると、抜け止め部材が止水領域の内部に配設されているため、電線が強く引っ張られるなどして電線の絶縁被覆が破れた場合でも、電線の内部に水が浸入するおそれはない。
【０００８】
本発明の実施の態様として、以下の構成が好ましい。
ハウジングは、第２シール部材を内部に収容する収容部と、抜け止め部材が装着される装着部と、収容部と装着部の間を仕切るとともに電線を通す通し孔が貫通して設けられてなる仕切り壁とを備えて構成され、収容部の内部空間と装着部の内部空間と通し孔とによって電線挿通孔が構成されている構成としてもよい。
このような構成によると、第２シール部材と抜け止め部材をハウジングに装着することでこれらを一体に取り扱うことができる。
【０００９】
抜け止め部材は、仕切り壁における通し孔の周縁部に当接することによって収容部側への移動が規制されている構成としてもよい。
このような構成によると、抜け止め部材が収容部側へ移動することを仕切り壁によって規制できる。
【００１０】
装着部には、抜け止め部材を中心として仕切り壁とは反対側から抜け止め部材を抜け止めするフロントリテーナが装着されている構成としてもよい。
このような構成によると、フロントリテーナを装着部に装着することで抜け止め部材を抜け止めできる。
【００１１】
収容部には、第２シール部材を中心として仕切り壁とは反対側から第２シール部材を抜け止めするバックリテーナが装着されている構成としてもよい。
このような構成によると、バックリテーナを収容部に装着することで第２シール部材を抜け止めできる。
【００１２】
ハウジングが装着される金属製のシールドシェルを備え、このシールドシェルを筐体に固定することでハウジングが取付孔に嵌合した状態に保持される構成としてもよい。
このような構成によると、シールドシェルによってシールド機能を確保することができる。
【発明の効果】
【００１３】
本発明によれば、電線の内部に水が浸入することを規制することができる。
【図面の簡単な説明】
【００１４】
【図１】実施形態における電線固定部材を斜め後方から見た斜視図
【図２】電線固定部材の分解斜視図
【図３】電線固定部材の内部構造を示す断面図
【図４】図３の要部拡大図
【図５】電線固定部材の左側面図
【図６】電線固定部材の底面図
【図７】電線固定部材の背面図
【発明を実施するための形態】
【００１５】
＜実施形態＞
本発明の実施形態を図１ないし図７の図面を参照しながら説明する。本実施形態における電線固定部材１０は、図１に示すように、複数の電線Ｗ（本実施形態では一対の電線Ｗ，Ｗ）を貫通させた状態で保持した上で、筐体（図示せず）に固定されることによって、各電線Ｗを筐体に固定する部材である。電線Ｗの端末には、絶縁被覆を皮剥ぎすることで芯線が露出されており、この露出された芯線に端子金具Ｔが接続されている。この端子金具Ｔは、いわゆる丸端子であって、円孔が穿設された平板状で丸形の接続部Ｔ１と、芯線に圧着されるバレル部Ｔ２とを備えて構成されている。
【００１６】
電線固定部材１０から端子金具Ｔまでの間には、十分な長さを持った電線Ｗが配設されている。この電線Ｗは可撓性を有しているため、筐体の内部に配設された端子台（図示せず）に対する位置ずれ公差が大きい場合でも公差を吸収できるようになっている。したがって、端子金具Ｔを端子台に確実に接続することができる。
【００１７】
電線固定部材１０は、図２に示すように、アルミダイキャスト製のシールドシェル２０、合成樹脂製のハウジング３０、シリコーン製のゴム栓４０、シリコーン製のゴムリング５０、黄銅製の電線かしめ金具６０、金属製のかしめバンド７０、合成樹脂製のフロントリテーナ８０、合成樹脂製のバックリテーナ９０などを備えて構成されている。
【００１８】
シールドシェル２０は横長のシェル本体部２１を有し、このシェル本体部２１の外周面には、取付フランジ２２が周設されている。取付フランジ２２は、シェル本体部２１の前端側（筐体に近い側）に配されている。取付フランジ２２の幅方向両側には、一対の固定孔２３，２３が前後方向に貫通する形態で形成されている。シェル本体部２１には、一対の装着孔２４，２４が前後方向に貫通する形態で形成されている。
【００１９】
装着孔２４は、図３および図４に示すように、前側に配された大径の孔と、この孔の後方に連なる小径の孔とからなる。装着孔２４には、バックリテーナ９０と、このバックリテーナ９０を保持するハウジング３０の後端部とが装着されている。すなわち、バックリテーナ９０は、装着孔２４の小径の孔に嵌合する円筒部９１と、装着孔２４の大径の孔に嵌合するゴム栓押さえ部９２とを備えて構成されている。このゴム栓押さえ部９２によってゴム栓４０が抜け止めされている。
【００２０】
ゴム栓押さえ部９２は、ハウジング３０に貫通して形成された電線挿通孔３１に後方から嵌合可能とされている。ゴム栓押さえ部９２には、上下一対の係止片９３，９３が設けられており、各係止片９３，９３が、電線挿通孔３１の内壁の後端部に形成された上下一対の係止孔３２，３２に嵌まり込んで前後方向に係止する。これにより、ゴム栓押さえ部９２が電線挿通孔３１に嵌合した状態に保持される。なお、バックリテーナ９０が装着孔２４に装着された状態では、円筒部９１の後端が装着孔２４の後端からわずかに後方に突出している。これにより、電線Ｗが装着孔２４の後端開口縁部に接触して損傷することを回避している。
【００２１】
シェル本体部２１の外周面には、かしめバンド７０が圧着される圧着溝２５が全周に亘って形成されている。この圧着溝２５に筒状の編組線（図示せず）を被せた上で、かしめバンド７０をかしめることにより、編組線とシェル本体部２１が導通可能に固着される。編組線は、複数の電線Ｗを一括して覆うように構成されており、電線Ｗの導電路を一括してシールドすることができるようになっている。なお、シェル本体部２１の前面における下端部には、筐体に設けられた凹部に嵌合することでシールドシェル２０の位置決めおよび回り止めを行うピン２６が前方に突出して設けられている。
【００２２】
ハウジング３０は電線Ｗの本数に対応して複数設けられ、各ハウジング３０は全体として略円筒形状をなし、シールドシェル２０の各装着孔２４に個別に装着可能とされている。このハウジング３０は、ゴム栓４０を内部に収容する収容部３３と、電線かしめ金具６０およびフロントリテーナ８０が内部に装着される装着部３４と、収容部３３と装着部３４の間を仕切るとともに電線Ｗを通す通し孔３５Ａが貫通して設けられてなる仕切り壁３５とを備えて構成されている。すなわち、収容部３３の内部空間と装着部３４の内部空間と通し孔３５Ａとによって、電線挿通孔３１が構成されている。言い換えると、収容部３３および装着部３４が、通し孔３５Ａを介して連通することで前後方向に延びる電線挿通孔３１が形成されている。
【００２３】
収容部３３の内部には、ゴム栓４０が装着されている。ゴム栓４０は、電線Ｗの外周面に全周に亘って密着する内周シール面４１と、収容部３３の内周面に全周に亘って密着する複数条の外周リップ４２とを備えている。このため、ゴム栓４０が収容部３３の内部に収容されると、ゴム栓４０の内周シール面４１と外周リップ４２によってハウジング３０の内部に水が浸入することを規制できる。また、ゴム栓４０は、バックリテーナ９０によって後方から抜け止めされているため、収容部３３の内部に保持される。この結果、電線挿通孔３１のうちゴム栓４０よりも前方の空間に止水領域Ｒが形成される。
【００２４】
装着部３４の外周面には、ゴムリング５０が嵌着可能とされた嵌着溝３６が全周に亘って凹設されている。ゴムリング５０は円筒状をなし、嵌着溝３６の底面に全周に亘って密着する複数条の内周リップ５１と、筐体に穿設された取付孔の内周面に全周に亘って密着する複数条の外周リップ５２とを備えて構成されている。ハウジング３０を筐体の取付孔に嵌合すると、ゴムリング５０により筐体の内部が液密状にシールされる。そして、筐体の内部は、止水領域Ｒと連通しているため、止水領域Ｒがシール状態に保持される。
【００２５】
装着部３４の内部空間は、仕切り壁３５に面した小径の孔と、この孔の前方に連なる大径の孔とからなる。装着部３４の大径の孔に、フロントリテーナ８０が装着されている。装着部３４の大径の孔の内周面（電線挿通孔３１の内壁の前端部）には、上下一対の保持孔３７，３７が穿設されている。一方、フロントリテーナ８０は、各保持孔３７，３７に嵌まり込んで前後方向に係止する一対の保持突部８１，８１を備えている。したがって、フロントリテーナ８０を装着部３４に前方から装着すると、各保持突部８１，８１が各保持孔３７，３７に係止することによりフロントリテーナ８０が装着部３４の大径の孔に保持される。
【００２６】
また、フロントリテーナ８０の左右両側には、図２に示すように、一対の回り止め突部８２，８２が突出して形成されている。各回り止め突部８２，８２は、装着部３４の前端開口縁における左右両側に形成された一対の係止溝３９，３９に嵌合可能とされている。各回り止め突部８２，８２が各係止溝３９，３９に嵌合することでフロントリテーナ８０が正規の姿勢に位置決めされ、装着部３４の大径の孔に対して回り止め状態で保持される。
【００２７】
ハウジング３０の後端部には、図２に示すように、左右一対の係止突起３８，３８が形成されている。一方、シールドシェル２０の装着孔２４の内部には、図７に示すように、各係止突起３８，３８と前後方向に係止する左右一対の被係止突起２７，２７が形成されている。各被係止突起２７，２７は、シールドシェル２０の後方に臨んで配されている。各係止突起３８，３８が各被係止突起２７，２７と当接することにより、各ハウジング３０が各装着孔２４に保持される。
【００２８】
さて、電線Ｗの外周面には、電線かしめ金具６０が固定されている。この電線かしめ金具６０は、電線Ｗにかしめられる円筒形の圧着部６１と、この圧着部６１の後方に連なる円筒形の保持筒部６２とを備えて構成されている。保持筒部６２は、圧着部よりも一回り大きい形状とされている。圧着部６１と保持筒部６２は互いに連結されているものの、圧着部６１を電線Ｗにかしめて圧着した際に、保持筒部６２を変形させないように圧着部６１の一部のみが保持筒部６２に連結されている。圧着部６１はいわゆるクローズドバレル型であって、六角かしめなどによって電線Ｗにかしめられるようになっている。圧着部６１が電線Ｗにかしめられた状態では、圧着部６１と保持筒部６２がほぼ同軸に配置されるようになっている。
【００２９】
電線Ｗにかしめられた圧着部６１は、図４に示すように、円筒状をなすフロントリテーナ８０の内部に収容可能な大きさとされている。一方、保持筒部６２は、装着部３４の小径の孔に収容可能な大きさとされている。保持筒部６２は、仕切り壁３５の通し孔３５Ａの周縁部に対し、前方から当接するとともに、フロントリテーナ８０の後端部に対し、後方から当接するようになっている。言い換えると、保持筒部６２は、仕切り壁３５の前壁とフロントリテーナ８０の後端部との間に収容されることで、装着部３４の小径の孔に保持されている。
【００３０】
装着部３４の小径の孔は止水領域Ｒの一部とされているため、電線Ｗにかしめられた圧着部６１は、止水領域Ｒの内部に配設される。同様に、装着部３４の大径の孔は止水領域Ｒの一部とされているため、保持筒部６２は、止水領域Ｒの内部に配設される。したがって、電線かしめ金具６０の全体は、止水領域Ｒの内部に配設されることになる。このような構成によると、仮に電線Ｗが強く引っ張られるなどして絶縁被覆が破れたとしても、ここから電線Ｗの内部に水が浸入することはない。
【００３１】
本実施形態は以上のような構成であって、続いてその作用を説明する。まず、図２に示すように、フロントリテーナ８０、電線かしめ金具６０、ゴムリング５０，ハウジング３０、ゴム栓４０、バックリテーナ９０、シールドシェル２０、およびかしめバンド７０をこの順に電線Ｗに先通ししておく。この後、先通ししておいた電線Ｗの端末において絶縁被覆を皮剥ぎして芯線を露出させ、この芯線に端子金具Ｔを圧着して接続する。次に、電線Ｗの外周面に電線かしめ金具６０の圧着部６１をかしめて圧着する。
【００３２】
この圧着作業に先立ってあるいはその後に、ゴムリング５０をハウジング３０の嵌着溝３６に嵌着し、ゴム栓４０をハウジング３０の収容部３３の内部に収容する。バックリテーナ９０をハウジング３０の収容部３３の内部に後方から組み付け、フロントリテーナ８０をハウジング３０の装着部３４の内部に前方から組み付ける。これにより、電線Ｗは、ハウジング３０に固定され、電線かしめ金具６０は、止水領域Ｒの内部に配設される。
【００３３】
次に、各ハウジング３０をシールドシェル２０の各装着孔２４に前方から組み付ける。編組線（図示せず）をシールドシェル２０のシェル本体部２１の外周面に被せてかしめバンド７０をかしめることにより、編組線をシェル本体部２１に接続させて固定する。このようにして、電線固定部材１０が完成する。そして、ハウジング３０の装着部３４を筐体の取付孔に嵌合させ、取付フランジ２２の固定孔２３にボルトを挿入して筐体側のねじ孔に螺合させることによりシールドシェル２０を筐体に固定する。これにより、電線Ｗは、筐体の取付孔を挿通した状態となって、電線固定部材１０とシールドシェル２０の双方によって筐体に固定される。
【００３４】
以上のように本実施形態では、電線Ｗをかしめる電線かしめ金具６０を止水領域Ｒの内部に配設したから、電線Ｗが強く引っ張られるなどして絶縁被覆が破れたとしても、ここから電線Ｗの内部に浸水することはない。また、シールドシェル２０、ハウジング３０、ゴム栓４０、ゴムリング５０、電線かしめ金具６０、かしめバンド７０、フロントリテーナ８０、およびバックリテーナ９０を一体化することにより、電線固定部材１０を１つのユニットとして扱うことができる。
【００３５】
＜他の実施形態＞
本発明は上記記述及び図面によって説明した実施形態に限定されるものではなく、例えば次のような実施形態も本発明の技術的範囲に含まれる。
（１）上記実施形態ではフロントリテーナ８０によって電線かしめ金具６０をハウジング３０に固定しているものの、本発明によると、電線かしめ金具６０をモールド樹脂でインサート成形することによってハウジングを形成してもよい。その場合には、電線Ｗとモールド樹脂の界面に止水用の接着剤などを介在させてもよい。
【００３６】
（２）上記実施形態では電線固定部材１０から端子金具Ｔまでの間に十分な長さの電線Ｗが確保されるようにしているものの、本発明によると、端子金具Ｔを電線固定部材の内部に収容してもよい。すなわち、端子金具Ｔと電線固定部材からなるシールドコネクタに本発明を適用してもよい。
【００３７】
（３）上記実施形態では芯線が絶縁被覆によって覆われてなる電線を例示しているものの、本発明によると、同軸ケーブルなどの電線に適用してもよい。
【００３８】
（４）上記実施形態ではシールドシェル２０を筐体に固定するものを例示しているものの、本発明によると、ハウジングに金属カラーを圧入あるいはインサート成形しておき、この金属カラーを介してハウジングを筐体に固定してもよい。
【符号の説明】
【００３９】
１０…電線固定部材
２０…シールドシェル
３０…ハウジング
３１…電線挿通孔
３３…収容部
３４…装着部
３５…仕切り壁
３５Ａ…通し孔
４０…ゴム栓（第２シール部材）
５０…ゴムリング（第１シール部材）
６０…電線かしめ金具（抜け止め部材）
８０…フロントリテーナ
９０…バックリテーナ
Ｒ…止水領域
Ｗ…電線
【図１】
0005790492.tif 000002
【図２】
0005790492.tif 000003
【図３】
0005790492.tif 000004
【図４】
0005790492.tif 000005
【図５】
0005790492.tif 000006
【図６】
0005790492.tif 000007
【図７】
0005790492.tif 000008